(57)【要約】【課題】  文書検索を容易とするインターフェースを提供する。【解決手段】  最初のページだけでなく、以降のページのサムネイル画像を表示可能とする手段を設ける。【選択図】  図１
2006079424.tif 000002
【特許請求の範囲】
【請求項１】
文書を入力し、サムネイルを作成する画像編集方法であって、サムネイル表示領域に複数ページのサムネイルを表示することを特徴とする画像編集方法。
【請求項２】
請求項１記載の画像編集方法において、前記文書の最初のページを前記サムネイル表示領域の矩形の縦もしくは横に最大表示になる様、縮小率を調整して表示し、２ページ目以降も空白の領域に対し縮小率を調整して表示する事を特徴とする画像編集方法。
【請求項３】
請求項１記載の画像編集方法において、前記文書の見出しを含む最初のページを前記サムネイル表示領域の矩形の縦もしくは横に最大表示になる様、縮小率を調整して表示し、見出しを含むページの２ページ目以降も空白の領域に対し縮小率を調整して表示する事を特徴とする画像編集方法。
【請求項４】
請求項１記載の画像編集方法において、前記文書のテキストのみのページの内最初のページを前記サムネイル表示領域の矩形の縦もしくは横に最大表示になる様、縮小率を調整して表示し、テキストのみのページの２ページ目以降も空白の領域に対し縮小率を調整して表示する事を特徴とする画像編集方法。
【請求項５】
請求項１記載の画像編集方法において、前記文書の画像もしくは図表を含むページの内最初のページを前記サムネイル表示領域の矩形の縦もしくは横に最大表示になる様、縮小率を調整して表示し、画像もしくは図表を含むページの２ページ目以降も空白の領域に対し縮小率を調整して表示する事を特徴とする画像編集方法。
【請求項６】
請求項１記載の画像編集方法において、前記文書の内、ユーザ指定の任意のページを前記サムネイル表示領域の矩形の縦もしくは横に最大表示になる様、縮小率を調整して表示し、ユーザ指定の２ページ目以降も空白の領域に対し縮小率を調整して表示する事を特徴とする画像編集方法。
【請求項７】
請求項２から請求項６いずれかに記載の画像編集方法において、文書を入力し、前記文書の文書属性より矩形の縦横の比率を求め、サムネイルを作成し、サムネイルに表示する１ページ目を１つのサムネイル表示領域に対し最大に表示し、該サムネイル表示領域の残りの空白に該サムネイルの２ページ目を最大表示し、以降、該サムネイル表示領域の残りの空白領域に対して最大表示となる縮小率でページを表示し、２ページ目以降、該サムネイル表示領域に空白がなくなるか或いは該文書のページがなくなるかまで同様に各サムネイルの縮小率を求めて表示する事を特徴とする画像編集方法。
【請求項８】
請求項２から請求項６いずれかに記載の画像編集方法において、文書を入力し、前記文書のページ属性より矩形の縦横の比率を求め、サムネイルを作成し、サムネイルに表示する１ページ目を１つのサムネイル表示領域に対し最大に表示し、該サムネイル表示領域の残りの空白に該サムネイルの２ページ目を最大表示し、該サムネイル表示領域の残りの空白領域に対し、２ページ目と同じ縮小率で表示が続けられる限り、該サムネイル表示領域に空白がなくなるか或いは該文書のページがなくなるかまで同様に各サムネイルの縮小率を求めて表示する事を特徴とする画像編集方法。
【請求項９】
請求項２から請求項６いずれかに記載の画像編集方法において、サムネイル表示領域に表示するサムネイルのページ数を前記文書のページ数よりユーザが任意に選べることを特徴とする画像編集方法。
【請求項１０】
請求項９に記載の画像編集方法において、文書を入力し、前記文書の文書属性より矩形の縦横の比率を求め、サムネイルを作成し、サムネイルに表示する１ページ目を１つのサムネイル表示領域に対し最大に表示し、該サムネイル表示領域の残りの空白に該サムネイルの２ページ目を最大表示し、以降、該サムネイル表示領域の残りの空白領域に対して最大表示となる縮小率でページを表示し、２ページ目以降、該サムネイル表示領域に空白がなくなるか或いはユーザの指定したページ数に達するまで同様にサムネイルの縮小率を求めて表示する事を特徴とする画像編集方法。
【請求項１１】
請求項９に記載の画像編集方法において、文書を入力し、前記文書のページ属性より矩形の縦横の比率を求め、サムネイルを作成し、サムネイルに表示する１ページ目を１つのサムネイル表示領域に対し最大に表示し、該サムネイル表示領域の残りの空白に該サムネイルの２ページ目を最大表示し、該サムネイル表示領域の残りの空白領域に対し、２ページ目と同じ縮小率で表示が続けられる限り、該サムネイル表示領域に空白がなくなるか或いはユーザの指定したページ数に達するまで同様にサムネイルの縮小率を求めて表示する事を特徴とする画像編集方法。
【請求項１２】
文書を入力し、サムネイルを作成する画像編集装置であって、サムネイル表示領域に複数ページのサムネイルを表示することを特徴とする画像編集装置。
【請求項１３】
文書を入力し、サムネイルを作成するためのプログラムコードが記録された記憶媒体であって、前記プログラムコードは少なくとも、サムネイル表示領域に複数ページのサムネイルを表示するステップのコードを有することを特徴とする記録媒体。
【請求項１４】
請求項１から請求項１１記載の内いずれかの画像編集方法であって、サムネイル表示領域に複数ページのサムネイルを表示し、サムネイルを画面表示領域上にアイコンとして表示する事を特徴とする画像編集方法。
【請求項１５】
サムネイル表示領域に複数ページのサムネイルを表示し、サムネイルを画面表示領域上にアイコンとして表示する事を特徴とする画像編集装置。
【請求項１６】
サムネイル表示領域に複数ページのサムネイルを表示するためのプログラムコードが記録された記録媒体であって、前記プログラムコードは少なくとも、前記サムネイルを画面表示領域上にアイコンとして表示するステップのコードとを有する事を特徴とする記録媒体。
【請求項１７】
文書を入力し、前記文書のレイアウト解析により前記文書のタイトルを抽出する画像編集方法であって、抽出したタイトルのサムネイルの縮小率と前記文書のサムネイルの縮小率を異なる縮小率とし、前記２つのサムネイルを合成して表示する事を特徴とする画像編集方法。
【請求項１８】
請求項１７に記載の画像編集方法であって、抽出したタイトルのサムネイルを前記文書のサムネイルに重ねて表示する事を特徴とする画像編集方法。
【請求項１９】
請求項１７に記載の画像編集方法であって、抽出したタイトルのサムネイルを前記文書のサムネイルの吹き出しとして表示する事を特徴とする画像編集方法。
【請求項２０】
文書を入力し、前記文書のレイアウト解析により前記文書のタイトルを抽出する画像編集装置であって、抽出したタイトルのサムネイルの縮小率と前記文書のサムネイルの縮小率を異なる縮小率とし、前記２つのサムネイルを合成して表示する事を特徴とする画像編集装置。
【請求項２１】
文書を入力し、前記文書のレイアウト解析を行うプログラムコードと、前記文書のタイトルを抽出するプログラムコードとを有する記録媒体であって、前記プログラムコードは少なくとも、抽出したタイトルのサムネイルと前記文書のサムネイルを合成して表示するステップのコードを有する事を特徴とする記録媒体。
【発明の詳細な説明】
【技術分野】
【０００１】
本発明は、画像及び文書を扱う画像編集方法及び装置、詳しくは入力された文書に対し、予めサムネイルを作成及び登録し、サムネイル表示領域に一覧表示する画像編集方法及び装置に関する。また、画像の出力方法及び装置に対し、作成したサムネイルをアイコンとして表示するソフトウェア、携帯デバイスのビューア等の画像編集方法及び装置に関する。
【背景技術】
【０００２】
従来この種の画像編集方法及び装置において、画像検索の容易化を図る手段として提案されているのは、特開平１０−２６９０５３公報や特開２００２−４１０１９公報等で開示されている様に、１つの文書に対し、その文書の１ページ目を代表として１つのサムネイルを作成し、ビジュアルに画像一覧を表示することにより画像検索を行うサムネイル検索である。
【発明の開示】
【発明が解決しようとする課題】
【０００３】
上記従来の技術では、複数ページに渡る文書においても最初のページのみが表示され、内容がわかり難くなるという問題点があった。また、サムネイルでは縮小表示が行われる為、テキストを含む文書に対しては、文字が小さくなるために、文書の内容がわかり難くなるという問題点があった。
【課題を解決するための手段】
【０００４】
上記課題を解決するために、本発明の請求項１記載の画像編集方法は、文書を入力し、サムネイル作成及び表示を行う際、サムネイル表示領域に複数ページのサムネイルを表示することを特徴とするものである。
【０００５】
また、上記課題を解決するために、本発明の請求項２記載の画像編集方法は、前記請求項１記載の画像編集方法において、前記文書を入力し、サムネイル作成及び表示を行う際、前記文書の最初のページを前記サムネイル表示領域の矩形の縦もしくは横に最大表示になる様、縮小率を調整して、前期サムネイル表示領域の縦もしくは横に空白領域が生じない様に表示し、２ページ目以降も空白の領域に対し縮小率を調整して表示する事を特徴とするものである。
【０００６】
また、上記課題を解決するために、本発明の請求項３記載の画像編集方法は、前記請求項１記載の画像編集方法において、前記文書を入力し、サムネイル作成及び表示を行う際、前記文書の見出しを含む最初のページを前記サムネイル表示領域の矩形の縦もしくは横に最大表示になる様、縮小率を調整して、前期サムネイル表示領域の縦もしくは横に空白領域が生じない様に表示し、２ページ目以降も空白の領域に対し縮小率を調整して表示する事を特徴とするものである。
【０００７】
また、上記課題を解決するために、本発明の請求項４記載の画像編集方法は、前記請求項１記載の画像編集方法において、前記文書を入力し、サムネイル作成及び表示を行う際、前記文書のテキストのみのページの内最初のページを前記サムネイル表示領域の矩形の縦もしくは横に最大表示になる様、縮小率を調整して、前期サムネイル表示領域の縦もしくは横に空白領域が生じない様に表示し、２ページ目以降も空白の領域に対し縮小率を調整して表示する事を特徴とするものである。
【０００８】
また、上記課題を解決するために、本発明の請求項５記載の画像編集方法は、前記請求項１記載の画像編集方法において、前記文書を入力し、サムネイル作成及び表示を行う際、前記文書の画像もしくは図表を含むページの内最初のページを前記サムネイル表示領域の矩形の縦もしくは横に最大表示になる様、縮小率を調整して、前期サムネイル表示領域の縦もしくは横に空白領域が生じない様に表示し、２ページ目以降も空白の領域に対し縮小率を調整して表示する事を特徴とするものである。
【０００９】
また、上記課題を解決するために、本発明の請求項６記載の画像編集方法は、前記請求項１記載の画像編集方法において、前記文書を入力し、サムネイル作成及び表示を行う際、前記文書の画像ページの、ユーザ指定の任意のページを前記サムネイル表示領域の矩形の縦もしくは横に最大表示になる様、縮小率を調整して、前期サムネイル表示領域の縦もしくは横に空白領域が生じない様に表示し、２ページ目以降も空白の領域に対し縮小率を調整して表示する事を特徴とするものである。
【００１０】
また、上記課題を解決するために、本発明の請求項７記載の画像編集方法は、前記請求項２から請求項６いずれかに記載の画像編集方法において、文書を入力し、サムネイル作成及び表示を行う際、前記文書のページの属性より矩形の縦横の比率を求め、サムネイルを作成し、サムネイルに表示する１ページ目を１つのサムネイル表示領域に対し最大に表示し、該サムネイル表示領域の残りの空白に該サムネイルの２ページ目を最大表示し、２ページ目以降、該サムネイル表示領域に空白の領域がなくなるかあるいは該文書のページがなくなるかまで同様に各サムネイルの縮小率を求めて表示する事を特徴とするものである。
【００１１】
また、上記課題を解決するために、本発明の請求項８記載の画像編集方法は、前記請求項２から請求項６いずれか記載の画像編集方法において、文書を入力し、サムネイル作成及び表示を行う際、前記文書のページの属性より矩形の縦横の比率を求め、サムネイルを作成し、サムネイルに表示する１ページ目を１つのサムネイル表示領域に対し最大に表示し、該サムネイル表示領域の残りの空白の領域に該サムネイルの２ページ目を最大表示し、該サムネイル表示領域の残りの空白の領域に対し、２ページ目と同じ縮小率で表示が続けられる限り、該２ページ目と同じ縮小率で表示できれば表示し、２ページ目以降、該サムネイル表示領域に空白の領域がなくなるか或いは該文書のページがなくなるかまで同様に各サムネイルの縮小率を求めて表示する事を特徴とするものである。
【００１２】
また、上記課題を解決するために、本発明の請求項９記載の画像編集方法は、前記請求項２から請求項６いずれかに記載の画像編集方法において、サムネイル表示領域に表示するサムネイルのページ数を、ユーザが前記文書より任意のページ数を選択して指定できることを特徴とするものである。
【００１３】
また、上記課題を解決するために、本発明の請求項１０記載の画像編集装置は、前記請求項９に記載の画像編集方法において、文書を入力し、前記文書の文書属性より矩形の縦横の比率を求め、サムネイルを作成し、サムネイルに表示する１ページ目を１つのサムネイル表示領域に対し最大に表示し、該サムネイル表示領域の残りの空白に該サムネイルの２ページ目を最大表示し、以降、該サムネイル表示領域の残りの空白の領域に対して最大表示となる縮小率でページを表示し、２ページ目以降、該サムネイル表示領域に空白の領域がなくなるか或いはユーザの指定したページに達するまで同様にサムネイルの縮小率を求めて表示する事を特徴とする画像編集方法。
【００１４】
また、上記課題を解決するために、本発明の請求項１１記載の画像編集装置は、前記請求項９に記載の画像編集方法において、文書を入力し、前記文書のページ属性より矩形の縦横の比率を求め、サムネイルを作成し、サムネイルに表示する１ページ目を１つのサムネイル表示領域に対し最大に表示し、該サムネイル表示領域の残りの空白に該サムネイルの２ページ目を最大表示し、該サムネイル表示領域の残りの空白領域に対し、２ページ目と同じ縮小率で表示が続けられる限り、該サムネイル表示領域に空白がなくなるか或いはユーザの指定したページ数に達するまで同様にサムネイルの縮小率を求めて表示する事を特徴とする画像編集方法。
【００１５】
また、上記課題を解決するために、本発明の請求項１２記載の画像編集装置は、文書を入力し、サムネイル作成及び表示を行う際、サムネイル表示領域に複数ページのサムネイルを表示することを特徴とするものである。
【００１６】
また、上記課題を解決するために、本発明の請求項１３記載の記録媒体は、文書を入力し、サムネイル作成及ステップ及び表示ステップをプログラムコードが実行する際、サムネイル表示領域に複数ページのサムネイルを表示するステップのコードを有することを特徴とすることを特徴とするものである。
【００１７】
また、上記課題を解決するために、本発明の請求項１４記載の画像編集方法は、前記請求項１から１１の内いずれかに記載の画像編集方法において、サムネイル作成を行う際、前記文書のページの属性より、前記文書の代表ページの矩形の縦横の比率を求め、前記サムネイルをアイコン表示領域の端に寄せて、前記サムネイルをアイコンとして使用し、画像表示領域上に表示する特徴とするものである。
【００１８】
また、上記課題を解決するために、本発明の請求項１５記載の画像編集装置は、文書を入力し、サムネイル作成及び表示を行う際、１つのアイコン表示領域に複数のサムネイルを表示することを特徴とするものである。
【００１９】
また、上記課題を解決するために、本発明の請求項１６記載の記録媒体は、文書を入力し、サムネイル作成及ステップ及び表示ステップをプログラムコードが実行する際、プログラムコードが少なくとも、１つのアイコン表示領域に複数のサムネイルを表示するステップを含むコードを有することを特徴とするものである。
【００２０】
また、上記課題を解決するために、本発明の請求項１７記載の画像編集方法は、文書を入力し、サムネイル作成及び表示を行う際、前記文書に対しレイアウト解析を実施し、前記文書のタイトルを含む領域を判別し、抽出した後、タイトル領域のサムネイルを作成し、抽出したタイトル領域のサムネイルの縮小率と前記文書のサムネイルの縮小率を異なる縮小率とし、前記２つのサムネイルを合成して表示する事を特徴とするものである。
【００２１】
また、上記課題を解決するために、本発明の請求項１８記載の画像編集方法は、前記請求項１７に記載の画像編集方法において、前記サムネイルの合成時に、抽出したタイトルのサムネイルの表示位置を、前記文書のサムネイルに重ね合わせて表示する事を特徴とするものである。
【００２２】
また、上記課題を解決するために、本発明の請求項１９記載の画像編集方法は、前記請求項１７に記載の画像編集方法において、前記サムネイルの合成時に、抽出したタイトルのサムネイルの表示位置を、前記文書のサムネイルの吹き出しとして、文書のサムネイルと重ねることなく表示する事を特徴とするものである。
【００２３】
また、上記課題を解決するために、本発明の請求項２０記載の画像編集装置は、文書を入力し、サムネイル作成及び表示を行う際、前記文書に対しレイアウト解析を実施し、前記文書のタイトルを含む領域を判別し、抽出した後、タイトル領域のサムネイルを作成し、抽出したタイトル領域のサムネイルの縮小率と前記文書のサムネイルの縮小率を異なる縮小率とし、前記２つのサムネイルを合成して表示する事を特徴とするものである。
【００２４】
また、上記課題を解決するために、本発明の請求項２１記載の記録媒体は、文書を入力し、サムネイル作成及び表示を行う際、前記文書に対しレイアウト解析を実施するプログラムコードと、前記文書のタイトル領域を判別して抽出するプログラムコードとを有する記録媒体であって、前記プログラムコードは少なくとも、抽出したタイトルのサムネイルと前記文書のサムネイルを合成して表示するステップのコードを有する事を特徴とするものである。
【発明の効果】
【００２５】
本発明は上述した従来技術の有する問題点を解消するためになされたもので、その目的とするところは、サムネイルの元の文書が１ページの情報か複数ページの情報か判り易くなる画像編集方法及び装置を提供することにある。また、入力文書のタイトルを拡大表示することにより、文書検索が容易に行える画像編集方法及び装置を提供することにある。
【００２６】
入力した文書からサムネイルに複数ページを表示できる様、サムネイル表示領域の大きさに合わせてサムネイルの大きさを決定し、サムネイルの配置を空白が少ない様に配置することにより、元文書の１ページ目のみサムネイルとして表示するよりもサムネイルに含まれる情報が多いため、文書全体を縮小したサムネイルの検索の場合に生じる、文書の内容がわかり難くなるという問題点を解消することができ、文書の検索が容易に行える等の効果を奏する。
【発明を実施するための最良の形態】
【００２７】
以下、本発明の各実施の形態を図面に基づき説明する。
【００２８】
（第１の実施の形態）
まず、第１の実施の形態を図１〜図２及び図５に基づき説明する。図１は、本発明の実施の形態に係る画像編集装置の全体構成を示すブロック図である。
【００２９】
図５は、本発明の実施の形態に係るサムネイルの表示の例である。
【００３０】
図１において、１は文書及びサムネイルを格納している記憶装置、２はサムネイルを作成するページを指示するページ指示装置、３はサムネイルを作成するページを指示する際にページ指示装置に対しページを指定する入力に用いる入力デバイス、４はページ指示装置の指示に基づきサムネイルを作成するサムネイル作成装置、５は記憶装置からサムネイルを読み込み、サムネイルを出力するサムネイル表示部、６はサムネイル表示部からの出力を受け取り、サムネイルを表示するサムネイル出力デバイスである。
【００３１】
記憶装置１は、入力された文書を格納する文書記憶部１１、作成するサムネイルに対応する入力文書のページ情報及び該ページの縮小率と縮小済みフラグを格納するサムネイルページ情報保持部１２、合成されたサムネイルを格納するサムネイル記憶部１８から構成される。
【００３２】
ページ指示装置２は、サムネイルを作成するページを指定に基づき決定する、もしくはサムネイルを作成するページを自動的に決定するサムネイルページ決定部１３、サムネイルページ決定部に、サムネイルを作成するページを指示するサムネイルページ指示部１４から構成される。
【００３３】
サムネイル作成装置４は、サムネイルを作成するページの形状を解析するページ情報解析部１５、ページのサムネイルを作成する圧縮部１６、圧縮部１６により生成されたサムネイルを合成し、目的のサムネイルを作成するサムネイル合成部１７から構成される。
【００３４】
図２は、本実施の形態に係る画像編集装置の動作を示すフローチャートであり、同図により動作概要を説明する。
【００３５】
まず、入力された文書を文書記憶部１１よりサムネイル作成の為に読み込む（ステップＳ１０１）。
【００３６】
ここで、入力デバイス３を通じてユーザから指定が無い限り、サムネイルにするページを指定しないものとする。文書に対し、サムネイルにするページをユーザから指定されるならば（ステップＳ１０２）、入力デバイス３よりサムネイルページ指示部１４でサムネイルページ指示を受け取る（ステップＳ１０３）。指示の内容は、サムネイルにするページの指定である。文書に対し、サムネイルにするページを指定しないならば（ステップＳ１０２）、そのまま次のステップに進む。
【００３７】
ここで、サムネイルページ決定部１３にてサムネイルにするページを決定する。サムネイルは入力文書の１ページ目からサムネイル表示領域に表示できる限りとする。サムネイルに指定するページの情報はサムネイルページ情報保持部１２に格納する（ステップＳ１０４）。
【００３８】
ページ情報解析部１５において、文書のページ属性より、サムネイルにするページの矩形の縦横の比率を求める。サムネイル表示領域の大きさ及びサムネイルにするページの数より、サムネイル作成時の、サムネイルの元の文書に対する縮小率を、サムネイル表示領域の空白領域が最小になるように求める。サムネイルにするページの指示がステップＳ１０２で行われなければ、サムネイルは１ページ目をサムネイル表示領域に対し最大で求め、残りの空白領域に２ページ目を最大で求め、以下、残りの表示領域に対し最大となる様、求めて行き、空白領域が表示できなくなるまで繰り返す。（ステップＳ１０５）。
【００３９】
前記入力文書のサムネイルに指定するページ情報をサムネイルページ情報保持部１２から取り出し、前記入力文書の該当ページを、圧縮部１８にて、ステップＳ１０５で求めた縮小率に基づき圧縮、縮小する（ステップＳ１０６）。
【００４０】
ステップＳ１０６で作成したサムネイルを、その後の合成用に一時保存する。サムネイルページ情報保持部１２にページのサムネイル作成済みフラグを格納する（ステップＳ１０７）。
【００４１】
サムネイルページ情報保持部１２の作成済みフラグの情報より、サムネイルにするページのサムネイル作成が全て終了したならば（ステップＳ１０８）、次のステップに進む。サムネイルページ情報保持部１２の作成済みフラグの情報より、サムネイルにするページのサムネイル作成が完了していないならば（ステップＳ１０８）、ステップＳ１０５に戻り、サムネイル作成を繰り返す。
【００４２】
サムネイルにするページのサムネイル作成が全て終了したならば、サムネイルを、サムネイル表示領域にサムネイルを表示するにあたり、図５の様に、１ページ目のサムネイルをサムネイル表示領域の端に寄せ、２ページ目のサムネイルはサムネイル情報保持部１２の情報に基づきサムネイル表示領域もしくはサムネイルの端に寄せ、以下同様にして、サムネイル表示領域の空白領域が最小になるようサムネイル合成部１７にて合成し、サムネイル記憶部１８にサムネイルを保存する（ステップＳ１０９）。
【００４３】
本実施の形態においては、入力文書の複数ページに対応するサムネイルが生成できるという効果を奏する。
【００４４】
なお、本実施の形態ではステップＳ１０４にて、サムネイルページ決定部１３において、サムネイルにするページを１ページ目からとしたが、入力文書のうち見出しを含むページの１ページ目からとしてもよい。
【００４５】
また、本実施の形態ではステップＳ１０４にて、サムネイルページ決定部１３において、サムネイルにするページを１ページ目からとしたが、入力文書のうちテキストのみのページの１ページ目からとしてもよい。
【００４６】
また、本実施の形態ではステップＳ１０４にて、サムネイルページ決定部１３において、サムネイルにするページを１ページ目からとしたが、入力文書のうち画像または図表を含むページの１ページ目からとしてもよい。
【００４７】
また、本実施の形態ではステップＳ１０４にて、サムネイルページ決定部１３において、サムネイルにするページを１ページ目からとしたが、入力文書のうちユーザ指定の任意のページの１ページ目からとしてもよい。
【００４８】
また、本実施の形態ではステップＳ１０５にて、サムネイルは１ページ目をサムネイル表示領域に対し最大で求め、残りの空白領域に２ページ目を最大で求め、以下、残りの表示領域に対し最大となる様、求めて行き、空白領域が表示できなくなるまで繰り返す、としたが、サムネイルの１ページ目をサムネイル表示領域に対し最大で求め、残りの空白領域に２ページ目を最大で求め、２ページ目のサムネイルと同じ縮小率で３ページ目を求め、２ページ目以降表示できなくなるまで繰り返すとしてもよい。
【００４９】
また、本実施の形態ではステップＳ１０５にて、サムネイルは１ページ目をサムネイル表示領域に対し最大で求め、残りの空白領域に２ページ目を最大で求め、以下、残りの表示領域に対し最大となる様、求めて行き、空白領域が表示できなくなるまで繰り返す、としたが、サムネイルの１ページ目をサムネイル表示領域に対し最大で求め、残りの空白領域に２ページ目を最大で求め、残りの空白領域に３ページ目を最大で求め、２ページ目以降、ユーザが指定するページ数まで繰り返すとしてもよい。
【００５０】
また、本実施の形態ではステップＳ１０５にて、サムネイルは１ページ目をサムネイル表示領域に対し最大で求め、残りの空白領域に２ページ目を最大で求め、以下、残りの表示領域に対し最大となる様、求めて行き、空白領域が表示できなくなるまで繰り返す、としたが、サムネイルの１ページ目をサムネイル表示領域に対し最大で求め、残りの空白領域に２ページ目を最大で求め、２ページ目のサムネイルと同じ縮小率で３ページ目を求め、２ページ目以降、ユーザが指定するページ数まで繰り返すとしてもよい。
【００５１】
（第２の実施の形態）
まず、第２の実施の形態を図３〜図４及び図６に基づき説明する。
【００５２】
図３は、本発明の実施の形態に係る画像編集装置の全体構成を示すブロック図である。
【００５３】
図３において、５１は文書及びサムネイルを格納している記憶装置、５２はサムネイルを作成するサムネイル作成装置、５３は記憶装置からサムネイルを読み込み、サムネイルを出力するサムネイル表示部、５４はサムネイル表示部からの出力を受け取り、サムネイルを表示するサムネイル出力デバイスである。
【００５４】
記憶装置５１は、入力された文書を格納する文書記憶部６１、作成するサムネイルのタイトルの領域情報を格納するタイトル情報保持部６３、合成されたサムネイルを格納するサムネイル記憶部６７から構成される。
【００５５】
サムネイル作成装置５２は、サムネイルを作成するページのレイアウトを解析しタイトル領域を判別するレイアウト解析部６２、タイトルを含む矩形を抽出するタイトル抽出部６４、ページのサムネイル及びタイトルのサムネイルを作成する圧縮部６５、圧縮部６５により生成されたサムネイルを合成し、目的のサムネイルを作成するサムネイル合成部６６から構成される。
【００５６】
図６は本発明の実施の形態に係るサムネイルの表示の例である。
【００５７】
図４は、本実施の形態に係る画像編集装置の動作を示すフローチャートであり、同図により動作概要を説明する。
【００５８】
まず、入力された文書を文書記憶部６１よりサムネイル作成の為に読み込む（ステップＳ１２１）。
【００５９】
レイアウト解析部６２にて、前記文書に対しレイアウト解析を行うことで、前記文書のタイトルを判別する。レイアウト解析の手法は特開平９−２７４６１９公報に開示されている方法等を用いることができる。タイトルを含む領域の情報はタイトル情報保持部６３に保存される（ステップＳ１２２）。
【００６０】
タイトル情報保持部６３より、タイトル領域の情報を得て、タイトル抽出部６４にて、タイトルを含む領域を矩形として切り出す（ステップＳ１２３）。
【００６１】
圧縮部６５にて、前記入力文書、またはタイトル領域を圧縮、縮小する。タイトルがサムネイル表示領域にて最大に表示され、また、サムネイル表示領域の残りの空白領域にて前記入力文書のサムネイルが最大に表示されるよう縮小する（ステップＳ１２４）。
【００６２】
ステップＳ１２４で作成した前記入力文書、及び前記タイトル領域のサムネイルを、その後の合成用に一時保存する。（ステップＳ１２５）。
【００６３】
ステップＳ１２５で一時保存された前記文書のサムネイルとタイトル領域のサムネイルを合成する。
【００６４】
図６にて示す様に、タイトル領域のサムネイルをサムネイル表示領域の端に寄せ、入力文書のサムネイルはサムネイル表示領域とタイトル領域のサムネイルの端に寄せ、サムネイル表示領域の空白領域が最小になるよう合成し、サムネイル記憶部６７にサムネイルを保存する（ステップＳ１２７）。
【００６５】
本実施の形態においては、タイトル領域を拡大したサムネイルが生成できるという効果を奏する。
【００６６】
また、本実施の形態では、タイトル領域の切り出し時にレイアウト解析を行うが、文書がタグを持ち、かつタイトルを識別できるタグを持っていた場合、レイアウト解析結果より前記タグを含む領域をイメージとして抽出し、サムネイルに埋め込む形態でもよい。
【００６７】
更に、本実施の形態では、文書がタイトルを持つ場合のみタイトル領域を元文書より切り出しているが、文書がタイトルに該当する箇所を持たぬ場合、前記文書の先頭をタイトルとし、前記文書の先頭を含む矩形をサムネイル表示領域に表示する形態でもよい。
【００６８】
更に、本実施の形態では、文書がタイトルを持つ場合のみタイトル領域を元文書より切り出しているが、文書がタイトルに該当する箇所を持たぬ場合、前記文書の先頭をタイトルとし、前記文書の先頭を含む矩形を元文書のサムネイル上に重ねて表示する形態でもよい。
【００６９】
更に、本実施の形態では、ステップＳ１２４にてタイトルがサムネイル表示領域にて最大に表示され、また、サムネイル表示領域の残りの空白領域にて前記入力文書のサムネイルが最大に表示されるよう縮小するが、ステップＳ１２６にてタイトルのサムネイルを前記入力文書のサムネイル上に重ねて合成するものとし、前記入力文書のサムネイルがサムネイル表示領域に対し最大に表示される様にしてもよい。
【００７０】
上記実施例においては、各部を同一の計算機上で構成する場合について説明したが，これに限定されるものではなく，複数の計算機上で実現してもよい。
【００７１】
なお、本発明は、複数の機器から構成されるシステムに適用しても、１つの機器からなる装置に適用してもよい。前述した実施形態の機能を実現するソフトウェアのプログラムコードを記録した記録媒体を、システムあるいは装置に供給し、そのシステムあるいは装置のコンピュータ（またはＣＰＵやＭＰＵ）が記録媒体に格納されたプログラムコードを読み出し実行することによっても、達成されることは言うまでもない。
【００７２】
この場合、記録媒体から読み出されたプログラムコード自体が前述した実施形態の機能を実現することになり、そのプログラムコード自体が前述した実施形態の機能を実現することになり、そのプログラムコードを記録した記録媒体は本発明を構成することになる。
【００７３】
プログラムコードを供給するための記録媒体としては、例えば、フロッピー（登録商標）ディスク、ハードディスク、光ディスク、ＣＤ−ＲＯＭ、ＣＤ−Ｒ、ＤＶＤ−ＲＯＭ、磁気テープ、不揮発性のメモリカード、ＲＯＭなどを用いることができる。
【００７４】
また、コンピュータが読み出したプログラムコードを実行することにより、前述した実施形態の機能が実現されるだけでなく、そのプログラムコードの指示に基づき、コンピュータ上で稼動しているＯＳなどが実際の処理の一部または全部を行ない、その処理によって前述した実施形態の機能が実現される場合も含まれることは言うまでもない。
【００７５】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行ない、その処理によって前述した実施形態の機能が実現される場合も含まれることは言うまでもない。
【図面の簡単な説明】
【００７６】
【図１】本発明の第１の実施の形態に係る画像編集装置の全体構成を示す図である。
【図２】同画像編集装置における動作のフローチャートである。
【図３】本発明の第２の実施の形態に係る画像編集装置の全体構成を示す図である。
【図４】同画像編集装置におけるフローチャートである。
【図５】同画像編集装置における実施例１のサムネイルの表示例である。
【図６】同画像編集装置における実施例２のサムネイルの表示例である。
【図１】
2006079424.tif 000003
【図２】
2006079424.tif 000004
【図３】
2006079424.tif 000005
【図４】
2006079424.tif 000006
【図５】
2006079424.tif 000007
【図６】
2006079424.tif 000008